(57)【要約】【課題】コンタクトノーズを取り換えなどの作業をしなくても打出しが完了する最後まで釘の姿勢を安定的に支持することができ、かつ、コンタクトノーズの先端形状をコンパクトに保つことができる釘打機を提供する。【解決手段】圧縮空気等の駆動力によって作動するドライバを摺動可能に案内するとともに、前記ドライバによって打撃された釘が打ち出される射出路を形成したノーズ部１２と、前記ノーズ部１２の射出路と連続する射出経路４０を形成するとともに、前記ノーズ部１２に対して摺動可能に支持されて被打込み材に押し付けられるコンタクトノーズ２０と、を備え、前記ノーズ部１２には、釘を誘導する案内面３２を形成した足先ガイド部材３０が前記コンタクトノーズ２０の射出経路４０内に進入するように付勢されて回動可能に取り付けられている。【選択図】図２
2014083656.tif 000002
【特許請求の範囲】
【請求項１】
打撃された釘が打ち出される射出路を形成したノーズ部と、
前記ノーズ部の射出路と連続する射出経路を形成するとともに、前記ノーズ部に対して摺動可能に支持されて被打込み材に押し付けられるコンタクトノーズと、
を備え、
前記ノーズ部には、釘を誘導する案内面を形成した足先ガイド部材が前記コンタクトノーズの射出経路内に進入するように付勢されて回動可能に取り付けられていることを特徴とする、釘打機。
【請求項２】
前記コンタクトノーズの内面に前記足先ガイド部材を進入可能とするための欠壁部を形成したことを特徴とする、請求項１記載の釘打機。
【請求項３】
前記欠壁部の横幅は、打ち込み方向に行くに従って次第に小さくなるように形成されていることを特徴とする、請求項２記載の釘打機。
【請求項４】
前記欠壁部の最小幅は、前記釘打機で使用可能な釘の最小頭径よりも小さいことを特徴とする、請求項２又は３記載の釘打機。
【請求項５】
前記欠壁部の最大幅は、前記コンタクトノーズの射出経路の内径と同等であることを特徴とする、請求項２〜４のいずれかに記載の釘打機。
【請求項６】
前記足先ガイド部材の案内面は、上部より下部が幅狭に形成されていることを特徴とする、請求項１〜５のいずれかに記載の釘打機。
【発明の詳細な説明】
【技術分野】
【０００１】
この発明は、釘打機に関し、特に、射出時の釘の姿勢を制御する構造に特徴を有する釘打機に関する。
【背景技術】
【０００２】
従来、この種の釘打機として、安全性を高めるためのコンタクト部材をノーズ部の先端に備えたものが一般に知られている。コンタクト部材は被打込み材に押し当てられることで釘の打込み方向に沿って摺動するものであり、被打込み材によって押し込まれるまではトリガレバーの引き操作を無効（不能）とするように形成されており、コンタクト部材を被打込み材に押し当てていない状態でトリガレバーが操作されても釘が打ち出されないようになっている。
【０００３】
また、こうしたコンタクト部材に釘の射出通路を設けたコンタクトノーズによって釘の姿勢をガイドするものも知られている。コンタクトノーズの内部には釘の姿勢を安定的に支持する射出路が形成されており、このコンタクトノーズを設けることにより釘の姿勢を部材に貫入するまで安定的に保持できるため、釘の座屈を有効に防止することができる。
【０００４】
しかしながら、コンタクトノーズの内径は、釘打機で使用可能な釘の最大頭径に合わせて形成されているため、頭径や線径が小さい釘や、長さの短い釘は打ち込み時に射出路内での傾斜角度が大きくなる。そして、傾斜したままで釘が打ち込まれると、釘が座屈してしまうという問題がある。
【０００５】
こうした問題を解決するために、例えばコンタクトノーズを付け替え可能とした構成が知られている。コンタクトノーズを付け替え可能とすることで、使用する釘の頭径に合わせた内径のコンタクトノーズを使用できるため、射出路内で釘が傾斜することを抑制でき、釘の座屈を防止することができる。
【０００６】
また、別の解決策として、例えば特許文献１記載の発明では、コンタクトノーズに回転式の足先ガイド部材（ラチェット部材）を設けている。足先ガイド部材は、射出口の後方側へ傾いた釘の先端を射出口内へ誘導させる傾斜面と、釘の先端を射出口の中心へ誘導させる誘導面と、を備え、射出口内に進入するように付勢されている。このような構成によれば、釘の足先を前方側に誘導することができるので、釘打撃の反動との相乗作用によって釘を被打込材に対してほぼ垂直に打ち込むことができ、釘の座屈を防止することができる。
【０００７】
なお、コンタクトノーズを備えたものではないが、特許文献２には、本体ハウジングの射出経路上に回転式の足先ガイド部材（案内部）を設けた構成が開示されている。
【先行技術文献】
【特許文献】
【０００８】
【特許文献１】特開２００４−３３０３６６号公報
【特許文献２】特開２００９−８３０９１号公報
【発明の概要】
【発明が解決しようとする課題】
【０００９】
しかし、コンタクトノーズを付け替え可能とした構成の場合、付け替え作業が煩雑であるし、外したコンタクトノーズが紛失するといった問題があった。
【００１０】
また、コンタクトノーズに回転式の足先ガイド部材を設けた構成の場合、コンタクトノーズの先端が大きくかつ重くなってしまうため、狭いところにノーズ部を差し込めなかったり、重心が先端側に移動するために取り回しが悪くなったりして、操作性が悪くなるという問題があった。
【００１１】
この点、上記した特許文献２の実施例１に記載の構成であれば、ノーズ部の射出経路上に回転式の足先ガイド部材（案内部）を設けているので、コンタクト部材は大きくならない。しかしながら、コンタクトノーズが設けられておらず、コンタクト部材が釘の姿勢をガイドするものではないため、特に釘の打ち込み深さが浅く設定されている場合には、打出しが完了する最後まで釘をガイドすることができず、釘の姿勢を安定的に支持することができない。このため、座屈を防止するという本来の課題を解決できないものとなっている。
【００１２】
このように、釘の座屈を防止するにはコンタクトノーズを用いるのが有効であり、更に釘の頭径に対応するためにコンタクトノーズを取り換えたり、コンタクトノーズに足先ガイド部材を設けたりすることが知られているが、それぞれに問題点が存在していた。
【００１３】
そこで、本発明は、コンタクトノーズを取り換えなどの作業をしなくても打出しが完了する最後まで釘の姿勢を安定的に支持することができ、かつ、コンタクトノーズの先端形状をコンパクトに保つことができる釘打機を提供することを課題とする。
【課題を解決するための手段】
【００１４】
本発明は、上記した課題を解決するためになされたものであり、以下を特徴とする。
【００１５】
（請求項１）
請求項１に記載の発明は、以下の点を特徴とする。
【００１６】
すなわち、請求項１に記載の釘打機は、打撃された釘が打ち出される射出路を形成したノーズ部と、前記ノーズ部の射出路と連続する射出経路を形成するとともに、前記ノーズ部に対して摺動可能に支持されて被打込み材に押し付けられるコンタクトノーズと、を備え、前記ノーズ部には、釘を誘導する案内面を形成した足先ガイド部材が前記コンタクトノーズの射出経路内に進入するように付勢されて回動可能に取り付けられていることを特徴とする。
【００１７】
（請求項２）
請求項２に記載の発明は、上記した請求項１記載の発明の特徴点に加え、以下の点を特徴とする。
【００１８】
すなわち、前記コンタクトノーズの内面に前記足先ガイド部材を進入可能とするための欠壁部を形成したことを特徴とする。
【００１９】
（請求項３）
請求項３に記載の発明は、上記した請求項２記載の発明の特徴点に加え、以下の点を特徴とする。
【００２０】
すなわち、前記欠壁部の横幅は、打ち込み方向に行くに従って次第に小さくなるように形成されていることを特徴とする。
【００２１】
（請求項４）
請求項４に記載の発明は、上記した請求項２又は３記載の発明の特徴点に加え、以下の点を特徴とする。
【００２２】
すなわち、前記欠壁部の最小幅は、前記釘打機で使用可能な釘の最小頭径よりも小さいことを特徴とする。
【００２３】
（請求項５）
請求項５に記載の発明は、上記した請求項２〜４のいずれかに記載の発明の特徴点に加え、以下の点を特徴とする。
【００２４】
すなわち、前記欠壁部の最大幅は、前記コンタクトノーズの射出経路の内径と同等であることを特徴とする。
【００２５】
（請求項６）
請求項６に記載の発明は、上記した請求項１〜５のいずれかに記載の発明の特徴点に加え、以下の点を特徴とする。
【００２６】
すなわち、前記足先ガイド部材の案内面は、上部より下部が幅狭に形成されていることを特徴とする。
【発明の効果】
【００２７】
請求項１に記載の発明は上記の通りであり、コンタクトノーズにノーズ部の射出路と連続する射出経路を形成したため、釘の打ち込み深さが浅く設定されている場合でも打出しが完了する最後まで釘をガイドすることができる。また、足先ガイド部材の案内面で釘を誘導するため、釘の頭径が小さい場合でもコンタクトノーズの取り換え不要で釘を安定的に支持することができる。
【００２８】
また、足先ガイド部材はノーズ部に回動可能に取り付けられており、コンタクトノーズとは別体であるため、足先ガイド部材を設けたことによるコンタクトノーズの大きさ及び重さへの影響が小さいので、コンタクトノーズの先端形状をコンパクトに保つことができ、足先ガイド部材を設けたことによる操作性への影響を小さくすることができる。
【００２９】
また、請求項２に記載の発明は上記の通りであり、コンタクトノーズの内面に前記足先ガイド部材を進入可能とするための欠壁部を形成したので、足先ガイド部材をスムーズにコンタクトノーズ内に進入させることができる。
【００３０】
また、請求項３に記載の発明は上記の通りであり、コンタクトノーズの欠壁部の横幅が打ち込み方向に行くに従って次第に小さくなるように形成されているので、言い換えると、射出口付近においては釘の射出経路を形成するコンタクトノーズの内面がより円形に近い形状となっており、この円形に近い形状のコンタクトノーズの内面で釘を抱え込んで安定的に釘を支持することができるようになっている。このため、上部においては足先ガイド部材の案内面を大きくすることで釘の足先の拾い込みを確実とすることができ、下部においてはコンタクトノーズの内面を円形に近い形状とすることで釘の頭部を確実に保持することができる。
【００３１】
また、本願発明は足先ガイド部材がノーズ部に回動可能に固定されているため、打ち込み深さ調節機構によって釘の打ち込み深さを変えることにより、足先ガイド部材とコンタクトノーズとの相対位置が変化する。このため、打ち込み深さ調節機構によって釘の打ち込み深さが浅く設定されている場合、足先ガイド部材がコンタクトノーズの先端まで届かない場合があるが、このような場合でも円形に近い形状のコンタクトノーズの内面で釘を保持できるので、足先ガイド部材がなくても安定的に釘を支持することができる。
【００３２】
また、請求項４に記載の発明は上記の通りであり、前記欠壁部の最小幅は、前記釘打機で使用可能な釘の最小頭径よりも小さく設定されているので、釘の頭部が欠壁部の方向に倒れこんで釘が射出経路から外れてしまうことがない。
【００３３】
また、請求項５に記載の発明は上記の通りであり、前記欠壁部の最大幅は、前記コンタクトノーズの射出経路の内径と同等であるので、足先ガイド部材の案内面を大きくすることができ、釘の足先の拾い込みを確実にすることができる。
【００３４】
また、請求項６に記載の発明は上記の通りであり、前記足先ガイド部材の案内面は、上部より下部が幅狭に形成されているので、上部においては足先ガイド部材の案内面を大きくすることで釘の足先の拾い込みを確実とすることができ、下部においてはコンタクトノーズの内面を円形に近い形状とすることで釘の頭部を確実に保持することができる。
【図面の簡単な説明】
【００３５】
【図１】釘打機の側面図である。
【図２】ノーズ部付近の一部拡大斜視図である。
【図３】コンタクトノーズの背面図である。
【図４】足先ガイド部材の斜視図である。
【図５】足先ガイド部材の（ａ）正面図、（ｂ）平面図、（ｃ）側面図、（ｄ）底面図、（ｅ）背面図である。
【図６】打ち込み深さを最も深く設定したときのノーズ部付近の一部断面図であって、（ａ）コンタクトノーズを被打ち込み材に押し付ける前の状態を示す図、（ｂ）コンタクトノーズを被打ち込み材に押し付けた後の状態を示す図である。
【図７】図６（ｂ）に示す切断線における断面図であって、（ａ）Ａ−Ａ断面図、（ｂ）Ｂ−Ｂ断面図、（ｃ）Ｃ−Ｃ断面図、（ｄ）Ｄ−Ｄ断面図、（ｅ）Ｅ−Ｅ断面図である。
【図８】打ち込み深さを最も浅く設定したときのノーズ部付近の一部断面図であって、（ａ）コンタクトノーズを被打ち込み材に押し付ける前の状態を示す図、（ｂ）コンタクトノーズを被打ち込み材に押し付けた後の状態を示す図である。
【図９】図８（ｂ）に示す切断線における断面図であって、（ａ）Ａ’−Ａ’断面図、（ｂ）Ｂ’−Ｂ’断面図、（ｃ）Ｃ’−Ｃ’断面図、（ｄ）Ｄ’−Ｄ’断面図、（ｅ）Ｅ’−Ｅ’断面図、（ｆ）Ｆ’−Ｆ’断面図である。
【図１０】本発明の別の実施形態に係るノーズ部付近の一部拡大斜視図である。
【発明を実施するための形態】
【００３６】
本発明の実施形態について、図を参照しながら説明する。
【００３７】
本実施形態にかかる釘打機１０は、圧縮空気を利用して釘を打ち込む空気圧式釘打機であり、図１に示すように、ボデーハウジング１１と、ボデーハウジング１１の後方に連設されたグリップハウジング１３と、グリップハウジング１３の下方においてボデーハウジング１１の後方に連設されたマガジン１６と、を備えている。
【００３８】
ボデーハウジング１１の内部には、特に図示しないが、打撃シリンダが配置されており、この打撃シリンダ内には打撃ピストンが摺動自在に収容されている。打撃ピストンの下面には釘を打撃するためのドライバが結合して設けられており、打撃ピストンが作動したときにドライバで釘を打ち込むことができるようになっている。
【００３９】
ボデーハウジング１１の下方先端には釘を射出するための射出路を形成したノーズ部１２が設けられており、前記したドライバはノーズ部１２の方向へと摺働可能に案内されている。なお、ノーズ部１２の後方には釘供給機構が設けられており、この釘供給機構が、釘の打ち込みに合わせてマガジン１６内の釘を順次ノーズ部１２内へと供給するようになっている。
【００４０】
このノーズ部１２の先端には、ノーズ部１２に対して上下動可能に配置されて被打ち込み材に押し付けられるコンタクトノーズ２０が配置されている。このコンタクトノーズ２０は、ノーズ部１２の先端に摺動可能に取り付けられており、釘の射出方向に沿って摺動可能となっている。このコンタクトノーズ２０は、釘打機１０の安全装置を構成する図示しないコンタクトアームに連結されており、コンタクトノーズ２０が被打ち込み材に押し付けられて摺動すると、一体的にコンタクトアームが上動するようになっている。コンタクトアームが上動することで、トリガ１５の操作による打撃シリンダ内への圧縮空気の供給（釘の打ち出し）が可能となるように形成されている。
【００４１】
すなわち、コンタクトノーズ２０を被打ち込み材に押し付けた状態でトリガ１５を操作すると（またはトリガ１５を操作した状態でコンタクトノーズ２０を被打ち込み材に押し付けると）、エンドキャップ部１７に接続されたエアコンプレッサ等のエア供給源から供給された圧縮空気が打撃シリンダ内へ供給され、この圧縮空気が打撃ピストンに作用して打撃ピストンが駆動し、打撃ピストンに結合されたドライバが釘を打撃する。このとき、ドライバ及び釘はコンタクトノーズ２０内部の射出経路４０によって姿勢を安定的にガイドされ、コンタクトノーズ２０の先端に開口した射出口４２から釘が打ち出されるようになっている。
【００４２】
なお、トリガ１５の近傍には、回転操作可能なアジャスタ摘み４１が設けられている。このアジャスタ摘み４１は打ち込み深さ調節機構を構成するものであり、このアジャスタ摘み４１を回転操作することでコンタクトノーズ２０（すなわちコンタクトアーム）の可動領域を調整して釘の打ち込み深さを設定することができるようになっている。すなわち、コンタクトノーズ２０の押し込み幅は一定であるが、この一定の幅を維持した状態でノーズ部１２とコンタクトノーズ２０との相対位置関係を上下に変化させることで、釘の打ち込み深さを変化させることができるようになっている。
【００４３】
また、ノーズ部１２の先端付近には、図２に示すように、釘の姿勢を安定的に支持するための足先ガイド部材３０が回動可能に取り付けられている。この足先ガイド部材３０は、コンタクトノーズ２０の欠壁部２２（後述）からコンタクトノーズ２０の内部に進入可能となっており、付勢部材３７によってコンタクトノーズ２０内に進入する方向に付勢されている。
【００４４】
コンタクトノーズ２０には、図３に示すように、釘の打ち込み方向に沿ってスリットが延設され、このスリットによってコンタクトノーズ２０の内面２１の一部が欠けた状態となっている。この内面２１の一部が欠けた部分である欠壁部２２は、略平行に幅広な上部２２ａと、下すぼまり形状の中部２２ｂと、略平行に幅狭な下部２２ｃと、からなり、その横幅が打ち込み方向に行くに従って次第に小さくなるように形成されている。
【００４５】
なお、欠壁部２２の上部２２ａの横幅（図７（ａ）に示す幅Ｗ１参照）は、コンタクトノーズ２０の内周の直径とほぼ等しい幅で形成されている。これは、射出経路４０に臨む足先ガイド部材３０の案内面３２（後述）の面積を大きくするためである。
【００４６】
また、欠壁部２２の下部２２ｃの横幅（図７（ｅ）に示す幅Ｗ２参照）は、釘打機１０で使用可能な釘の最小頭径よりも小さく設定されている。これは、釘の頭部が欠壁部２２の方向に倒れこんで釘が射出経路４０から外に出ないようにするためである。
【００４７】
足先ガイド部材３０は、図４及び図５に示すように、中間部に軸孔３４を穿設した略Ｌ字形部材であり、軸孔３４の下方に延設されたガイド部３１と、軸孔３４の後方に設けられたバネ受部３３と、を備えている。
【００４８】
軸孔３４は、回動軸３６を貫通させて足先ガイド部材３０の回動中心となるものである。なお、回動軸３６は、図２に示すように、ノーズ部１２に一体的に設けられた軸固定部１２ａに固定されている。
【００４９】
ガイド部３１は、コンタクトノーズ２０の欠壁部２２の延設方向に沿って配置される部位であり、コンタクトノーズ２０の内面２１に対向する案内面３２を備えている。この案内面３２は、図７等に示すように、平面視においてコンタクトノーズ２０の内周とほぼ等しい半径の曲面であり、コンタクトノーズ２０の内面２１と相俟って釘の射出経路４０を形成している。
【００５０】
ガイド部３１の案内面３２は、図４及び図５に示すように、上部の幅広部３２ａと、下部の幅狭部３２ｂと、をからなり、下方に行くに従って幅狭となっている。また、この案内面３２を前後方向に見ると、図５（ｃ）に示すように、下方に行くに従って前方へとなだらかにせり出した形状となっている。
【００５１】
バネ受部３３は、付勢部材３７の付勢力を受けるために設けられた円形の窪みである。足先ガイド部材３０を付勢する付勢部材３７は、一端がこのバネ受部３３に嵌め込まれて固定されるとともに、他端がノーズ部１２に形成されたバネ支持部１２ｂに嵌め込まれて固定されている。これにより、足先ガイド部材３０は付勢部材３７の付勢力によって常時付勢されており、ガイド部３１がコンタクトノーズ２０の内部に入り込む方向に付勢されることとなっている。このため、コンタクトノーズ２０の内部に形成された射出経路４０を通過しようとする釘（図示せず）の足先は、足先ガイド部材３０によって前方向へと誘導され、付勢部材３７の付勢力に抗して射出経路４０を押し広げながら下方へと打ち込まれていく。このように、足先ガイド部材３０が設けられることによって釘の姿勢を安定的に支持することができるようになっている。
【００５２】
図６は、打ち込み深さ調節機構によって打ち込み深さを最も深く設定したときのノーズ部１２付近の一部断面図である。この図が示すように、コンタクトノーズ２０を被打ち込み材に押し付けることにより、コンタクトノーズ２０がノーズ部１２に対して摺動し、同時にコンタクトノーズ２０と足先ガイド部材３０との相対位置も変化する。このとき、コンタクトノーズ２０の欠壁部２２の横幅と足先ガイド部材３０のガイド部３１（案内面３２）の横幅とは、互いに対応するように打ち込み方向に行くに従って次第に小さくなるように形成されているため、コンタクトノーズ２０の欠壁部２２に沿って足先ガイド部材３０のガイド部３１が摺動しても両者が干渉することはない。
【００５３】
図７（ａ）は足先ガイド部材３０の案内面３２の最上部における断面図である。この図７（ａ）が示すように、足先ガイド部材３０の案内面３２は最上部において最も幅広となっており、コンタクトノーズ２０の内部を通過しようとする釘の足先が後方に流れている場合には、この釘の足先を確実に拾い込んで前方に誘導するようになっている。
【００５４】
また、図７（ａ）〜（ｅ）に示すように、コンタクトノーズ２０の欠壁部２２の横幅が打ち込み方向に行くに従って次第に小さくなることで、射出口４２付近においては釘の射出経路４０を形成するコンタクトノーズ２０の内面２１がより円形に近い形状となっている。このため、上部においては足先ガイド部材３０の案内面３２を大きくすることで釘の足先の拾い込みを確実とし、下部においてはコンタクトノーズ２０の内面２１を円形に近い形状とすることで釘の頭部を抱え込んで確実に保持するように形成されている。
【００５５】
なお、図８は、打ち込み深さ調節機構によって打ち込み深さを最も浅く設定したときのノーズ部１２付近の一部断面図である。このように打ち込み深さ調節機構によって釘の打ち込み深さが浅く設定されている場合、コンタクトノーズ２０を被打ち込み材に押し付けたとしても、足先ガイド部材３０がコンタクトノーズ２０の先端まで届かない。このため、コンタクトノーズ２０の先端においては足先ガイド部材３０による釘の姿勢保持機能を使用することができない。しかしながら、このような場合でも円形に近い形状のコンタクトノーズ２０の内面２１で釘の頭部を抱え込むので（図９（ｆ）参照）、足先ガイド部材３０がなくても安定的に釘を支持することができる。
【００５６】
なお、上述したように、コンタクトノーズ２０の欠壁部２２と足先ガイド部材３０のガイド部３１とは、摺動時に互いに干渉しないように形状が工夫されている。しかしながら、打ち込み深さ調節機構が操作されることによってコンタクトノーズ２０と足先ガイド部材３０との相対位置は一定ではないため、打ち込み深さ調節機構によって打ち込み深さを最も浅く設定したときには欠壁部２２とガイド部３１との間のギャップが大きくなってしまう。しかしながら、本実施例においては、図９（ａ）に示すように、打ち込み深さ調節機構によって釘の打ち込み深さが最も浅く設定されてコンタクトノーズ２０を被打ち込み材に押し付けたときに、コンタクトノーズ２０の欠壁部２２と足先ガイド部材３０との間に形成される間隙の最大幅Ｇが釘打機１０で使用可能な釘の最小頭径よりも小さく設定されているので、欠壁部２２とガイド部３１との間のギャップが大きい場合でもこのギャップから釘が脱落することがない。このため、打ち込み深さがどのように設定されている場合でもコンタクトノーズ２０と足先ガイド部材３０との間の間隙から釘が外に出ることがない。
【００５７】
以上説明したように、本実施形態によれば、被打ち込み材に押し付けられるコンタクトノーズ２０の内面２１で釘の姿勢を安定的に支持するため、釘の打ち込み深さが浅く設定されている場合でも打出しが完了する最後まで釘をガイドすることができる。また、コンタクトノーズ２０の欠壁部２２から進入した足先ガイド部材３０の案内面３２で釘の姿勢を安定的に支持するため、釘の頭径が小さい場合でもコンタクトノーズ２０の取り換え不要で釘を安定的に保持することができる。
【００５８】
また、足先ガイド部材３０はノーズ部１２に回動可能に取り付けられており、コンタクトノーズ２０とは別体であるため、足先ガイド部材３０を設けたことによるコンタクトノーズ２０の大きさ及び重さへの影響が小さいので、コンタクトノーズ２０の先端形状をコンパクトに保つことができ視認性が良く、足先ガイド部材３０を設けたことによる操作性への影響を小さくすることができる。
【００５９】
なお、上記した実施形態においては、コンタクトノーズ２０の欠壁部２２をスリットとして設けたが、本発明の実施形態としてはこれに限らず、欠壁部２２は足先ガイド部材３０をコンタクトノーズ２０の内部に進入可能とするものであればどのような形態でもよい。例えば、図１０に示すように、足先ガイド部材３０の一部を覆うような形状であってもよい。あるいは、欠壁部２２のスリットを設けないで、足先ガイド部材全体を覆うような袋状の形状であってもよい。
【符号の説明】
【００６０】
１０  釘打機
１１  ボデーハウジング
１２  ノーズ部
１２ａ  軸固定部
１２ｂ  バネ支持部
１３  グリップハウジング
１５  トリガ
１６  マガジン
１７  エンドキャップ部
２０  コンタクトノーズ
２１  内面
２２  欠壁部
２２ａ  上部
２２ｂ  中部
２２ｃ  下部
３０  足先ガイド部材
３１  ガイド部
３２  案内面
３２ａ  幅広部
３２ｂ  幅狭部
３３  バネ受部
３４  軸孔
３６  回動軸
３７  付勢部材
４０  射出経路
４１  アジャスタ摘み（打ち込み深さ調節機構）
４２  射出口
【図１】
2014083656.tif 000003
【図２】
2014083656.tif 000004
【図３】
2014083656.tif 000005
【図４】
2014083656.tif 000006
【図５】
2014083656.tif 000007
【図６】
2014083656.tif 000008
【図７】
2014083656.tif 000009
【図８】
2014083656.tif 000010
【図９】
2014083656.tif 000011
【図１０】
2014083656.tif 000012